(57)【特許請求の範囲】
【請求項１】
印字選択用の操作軸と、
この操作軸を挿通するとともに該操作軸と一体に回転可能なスリーブと、
このスリーブに回転可能に支持するとともに前記操作軸を操作することにより印字文字を選択可能な選択ホィールと、を有する印字器における印字選択装置であって、
前記操作軸の外周面に複数列の割出し用溝をその軸方向に等間隔で形成し、前記スリーブの外周面に節度決定兼用貫通孔をその周方向に等角度間隔で形成するとともに、
前記操作軸の径方向から該操作軸の前記割出し用溝および前記スリーブの前記節度決定兼用貫通孔に係合可能な付勢機構を設けたことを特徴とする印字器における印字選択装置。
【請求項２】
前記付勢機構は、
前記割出し用溝および前記節度決定兼用貫通孔に係合可能な割出しピンと、この割出しピンを前記割出し用溝および前記節度決定兼用貫通孔に付勢する割出しスプリングと、を有することを特徴とする請求項１記載の印字器における印字選択装置。
【請求項３】
前記付勢機構は、これを前記操作軸の近傍に設けたことを特徴とする請求項１記載の印字器における印字選択装置。
【発明の詳細な説明】
【０００１】
【発明の属する技術分野】
本発明は印字器における印字選択装置にかかるもので、とくに携帯式のラベル印字貼付装置（ハンドラベラー）などに装着される印字器における印字選択装置に関するものである。
【０００２】
【従来の技術】
従来のハンドラベラーなどにおいては、印字文字および見出し文字を形成したたとえば印字用エンドレスバンドを選択ホィールなどに回転可能に支持し、これを回転させることにより所望の印字文字を印字可能な状態とし、インキローラーなどによって印字文字にインキを塗布し、ラベルなどに押印するようにしている。
この印字選択にあたっては、印字選択用の操作軸を通常その軸方向に移動することにより印字用エンドレスバンドの列を選択し（割り出し）、さらにこの列において操作軸を回転することにより選択ホィールを所定の節度（印字文字の一文字ごとの適正なセット状態、ないしセット状態の区別）をもって回転させて、印字用エンドレスバンドにおける所望の印字文字を選択することにようにしている。
【０００３】
こうした印字選択装置には、上記割出しおよび節度確保のために各種の機構がある。たとえば、実公昭５５−３８６８１号においては、弾性係合片を一体形成した支持位置決め部材を用いている。また実公昭５８−２１８８６１号においては、可撓片を一体形成した位置決め部材およびバネ付勢した位置決めコマを用いている。
【０００４】
しかしながら、いずれの場合も、操作軸から離れた部位の選択ホィールなどの部位において節度を取るようにしているため、操作者の指にかかる印字選択時の感覚として、いわゆる確かな手ごたえがあるものではなく、操作感覚に問題があった。
また、割出し用の機構および節度確保用の機構が互いに離れた部位に配置されているため、それぞれの操作感覚に隔たりがあって違和感があるとともに、組立て時あるいは保守点検時に一括集中して確認することが困難であるなどのという問題がある。
なお、位置決め部材自体の弾性力を利用するものであるから、その付勢力の設計に困難性があるという問題がある。
【０００５】
さらに、割出し用の機構および節度確保用の機構を独立して設ける必要があるため、構成が複雑になるとともに部品点数が多くなり、部品管理および保守点検作業に問題があった。
【０００６】
【発明が解決しようとする課題】
本発明は以上のような諸問題にかんがみなされたもので、印字選択にあたって確かな手ごたえがある自然な感覚でこれを行うことができるようにした印字器における印字選択装置を提供することを課題とする。
【０００７】
また本発明は、列の選択の割出しおよび印字の選択の節度が確実、かつそれぞれの操作感覚をほぼ同等とすることができる印字器における印字選択装置を提供することを課題とする。
【０００８】
また本発明は、構造が簡単で組み立て作業時などにおいても作業に便利な印字器における印字選択装置を提供することを課題とする。
【０００９】
また本発明は、割出し用の機構および節度確保用の機構を組み合わせて構成して部品点数を減らし、部品管理および保守点検作業に便利な印字器における印字選択装置を提供することを課題とする。
【００１０】
【課題を解決するための手段】
すなわち本発明は、割出し用の機構および節度確保用の機構を組み合わせて構成すること、それぞれの機構における付勢機構を兼用することに着目したもので、印字選択用の操作軸と、この操作軸を挿通するとともに該操作軸と一体に回転可能なスリーブと、このスリーブに回転可能に支持するとともに上記操作軸を操作することにより印字文字を選択可能な選択ホィールと、を有する印字器における印字選択装置であって、上記操作軸の外周面に複数列の割出し用溝をその軸方向に等間隔で形成し、上記スリーブの外周面に節度決定兼用貫通孔をその周方向に等角度間隔で形成するとともに、上記操作軸の径方向から該操作軸の上記割出し用溝および上記スリーブの上記節度決定兼用貫通孔に係合可能な付勢機構を設けたことを特徴とする印字器における印字選択装置である。
【００１１】
上記付勢機構は、上記割出し用溝および上記節度決定兼用貫通孔に係合可能な割出しピンと、この割出しピンを上記割出し用溝および上記節度決定兼用貫通孔に付勢する割出しスプリングと、を有することができる。
【００１２】
上記付勢機構は、これを上記操作軸の近傍に設けることにより、印字選択にあたって確かな手ごたえがある自然な感覚でこれを行うことができるとともに、列の選択の割出しおよび印字の選択の節度を確実とすることが可能となる。
【００１３】
本発明は、前記印字用エンドレスバンドのほかに、見出し輪と係合する活字輪を有する印字器にもこれを応用することができる。
【００１４】
本発明による印字器における印字選択装置においては、操作軸の径方向から操作軸の割出し用溝およびスリーブの節度決定兼用貫通孔に付勢機構を係合させるようにしたので、操作軸の割出し用溝およびスリーブの節度決定兼用貫通孔の部分において付勢機構を兼用し、部品点数を減らすことが可能となるとともに、それぞれの操作感覚をほぼ同等とすることができる。
すなわち具体的操作として、操作軸をその軸方向に操作するときに、付勢機構は、スリーブのあるひとつの節度決定兼用貫通孔に係合したまま操作軸の割出し用溝の任意のものを選択可能（割り出し可能）である。また、操作軸を回転するときに、付勢機構は、操作軸のあるひとつの割出し用溝に係合したままスリーブの節度決定兼用貫通孔の任意のものを選択可能である。
【００１５】
さらに、操作軸の割出し用溝およびスリーブの節度決定兼用貫通孔の部分において割出し用の機構および節度確保用の機構を組み合わせたので、組み立て作業、部品管理および保守点検作業時などにおいても作業に便利である。
【００１６】
【発明の実施の形態】
つぎに本発明の実施の形態による印字器における印字選択装置を図１ないし図５にもとづき説明する。
図１は、印字選択装置を装備した印字器１の断面図、図２は、図１のＩＩ−ＩＩ線断面図であって、印字器１は、印字選択装置２と、印字器フレーム３と、印字選択用の操作軸４と、複数列の選択ホィール５と、印字受け台部６と、複数列の印字用エンドレスバンド７と、を有する。
【００１７】
印字器フレーム３は、その上部に見出し窓部８を、その下部にインキローラー対向開口部９をそれぞれ開口形成してある。
インキローラー対向開口部９において、印字用エンドレスバンド７に接触可能にインキローラーＲが転動する。
【００１８】
操作軸４は、その軸方向にこれを移動させることにより任意の列の印字用エンドレスバンド７を選択し（割り出し）、割り出した列において選択ホィール５を回転させることによりその印字用エンドレスバンド７内の特定の印字文字を選択するもので、インジケーター１０と、ロータリーピン１１と、を取り付けてある。
操作軸４には、その外周面に複数列の割出し用溝４Ａを軸方向に等間隔で形成してあり、割出しピン１２と、割出しピン１２を割出し用溝４Ａ方向に付勢する割出しスプリング１３とにより所定の列に操作軸４およびインジケーター１０をセット（割出し）可能としてある。
上記割出しピン１２と割出しスプリング１３とにより、付勢機構２Ａを構成する。
【００１９】
インジケーター１０は、操作軸４の軸方向には操作軸４と一体に移動し、回転方向はフリーであって、見出し窓部８内において指針部１０Ａを突出形成してあり、この指針部１０Ａが所望の列を指針するようになっている。
【００２０】
ロータリーピン１１は、操作軸４と一体に移動および回転するもので、印字器フレーム３内に回転可能に設けたスリーブ１４の軸方向スリット１４Ａ（図２を参照）を通して選択ホィール５の内周面に突出し、任意の列における選択ホィール５の内周係合溝５Ａに係合可能となっている。
このスリーブ１４は、操作軸４を挿通するとともに選択ホィール５を支持しており、ロータリーピン１１が軸方向スリット１４Ａに係合しているので操作軸４と一体に回転可能である。したがって、操作軸４を操作することにより選択ホィール５を回転して印字文字を選択可能である。
【００２１】
図３は、スリーブ１４の側面図であって、割出しピン１２が臨む部分の円周面に等角度間隔で節度決定兼用貫通孔１４Ｂを形成してある。
図４は、割出しピン１２およびスリーブ１４の係合状態を側面からみた拡大断面図、図５は、同、軸方向の拡大断面図であって、操作軸４がその軸方向に移動するときには、所定の節度決定兼用貫通孔１４Ｂに割出しピン１２が嵌合したままで割出しピン１２がそれぞれの割出し用溝４Ａ内を移動してゆく。
操作軸４が回転するときには、所定の割出し用溝４Ａに割出しピン１２が嵌合したままで割出しピン１２がそれぞれの節度決定兼用貫通孔１４Ｂ内を移動してゆく。
したがって、スリーブ１４という単一の部品により、操作軸４による列の割出し操作と、選択ホィール５の回転操作と、をそれぞれの節度を確保しながら実現することができる。
【００２２】
図１に示すように、選択ホィール５と印字受け台部６との間に、所定の張力をもって印字用エンドレスバンド７を張りわたしてある。
印字用エンドレスバンド７は、その外周面に所定数の印字文字７Ａおよび見出し文字７Ｂをそれぞれの領域に分けて形成してある。
ただし互いの境界領域には、印字ブランク部７Ｃをそれぞれ形成してあり、後述するように、選択ホィール５の回転を停止させて印字用エンドレスバンド７の移動を阻止するときには、それぞれの印字ブランク部７Ｃが見出し窓部８およびインキローラー対向開口部９に臨むことになる。
【００２３】
印字用エンドレスバンド７の内周面において、印字文字７Ａに対応する部分はこれを平坦とし、見出し文字７Ｂに対応する部分には、選択ホィール５の外周係合溝５Ｂにそれぞれ係合可能な低い駆動用突起部７Ｄ、および高い駆動用突起部７Ｅを形成してある。
【００２４】
低い駆動用突起部７Ｄおよび高い駆動用突起部７Ｅが、選択ホィール５の外周係合溝５Ｂに係合し、選択ホィール５の回転により、任意の印字文字７Ａをインキローラー対向開口部９においてインキローラーＲと接触可能とする。
【００２５】
ただし、見出し文字７ＢがインキローラーＲに接触することはない。
すなわち、とくに図１に示すように、印字器１には、複数列のストッパー部材１５と、金属製の爪部回動軸１６と、上述のように印字用エンドレスバンド７に形成した高い駆動用突起部７Ｅと、を設けてある。
【００２６】
ストッパー部材１５は、選択ホィール５および印字受け台部６との間にこれを位置させるとともに、選択ホィール５に対向する係合爪部１５Ａと、調心バネ部１５Ｂと、駆動アーム部１５Ｃと、を一体成形したものである。
【００２７】
爪部回動軸１６は、係合爪部１５Ａの左右一対のロック端部１５Ｄを選択ホィール５の外周係合溝５Ｂに係脱可能に係合爪部１５Ａを回動可能とする。
ただし図１に示すように、通常の選択可能状態では、選択ホィール５の外周面とロック端部１５Ｄとの間には第１の間隙Ｓ１をあけてあり、選択ホィール５の回転を可能としている。
【００２８】
この爪部回動軸１６は、操作軸４の回転応力に耐え得る強度を有する材料、たとえば鉄系材料その他の金属材料などからこれを構成する。
【００２９】
調心バネ部１５Ｂは、係合爪部１５Ａと駆動アーム部１５Ｃとの間に位置して、係合爪部１５Ａおよび駆動アーム部１５Ｃのそれぞれの変位を相互に伝達可能とするとともに、外力が作用しなくなったときに、その弾性力により係合爪部１５Ａおよび駆動アーム部１５Ｃを元位置に復帰させる。
【００３０】
駆動アーム部１５Ｃは、アーム回動軸１７のまわりに回動可能で、印字用エンドレスバンド７の高い駆動用突起部７Ｅのみに係合可能である。
すなわち、駆動アーム部１５Ｃの左右一対の作用端部１５Ｅと印字用エンドレスバンド７の内周面との間には第２の間隙Ｓ２をあけてある。この第２の間隙Ｓ２の部分は印字用エンドレスバンド７の低い駆動用突起部７Ｄのみが通過可能である。
【００３１】
さらに、印字用エンドレスバンド７の高い駆動用突起部７Ｅの変形弾性係数は、ストッパー部材１５の調心バネ部１５Ｂのそれより大きいように設定してある。
【００３２】
したがって、選択ホィール５の回転により印字用エンドレスバンド７の高い駆動用突起部７Ｅが、ストッパー部材１５における駆動アーム部１５Ｃの左右一対の作用端部のいずれかに係合したときに、駆動アーム部１５Ｃのアーム回動軸１７まわりの回動が調心バネ部１５Ｂを介して係合爪部１５Ａに伝達され、係合爪部１５Ａが爪部回動軸１６のまわりに回動することによりロック端部１５Ｄが選択ホィール５の外周係合溝５Ｂに係合し、選択ホィール５のこれ以上の回動が阻止されて、見出し文字７ＢがインキローラーＲに接触することはない。
【００３３】
なお、駆動アーム部１５Ｃの部分の印字用エンドレスバンド７の外周側には、印字器フレーム３の第１の押さえフレーム部３Ａおよび第２の押さえフレーム部３Ｂを形成してある。
【００３４】
こうした構成の印字器１および印字選択装置２において、通常の印字選択状態では、図１および図２に示すように、操作軸４をその軸方向に移動させることにより任意の列を割り出し、その列においてこれを正逆任意の方向に回転させれば、選択ホィール５が印字用エンドレスバンド７を回転させ、印字用エンドレスバンド７の所望の見出し文字７Ｂが見出し窓部８から見える位置で停止させる。
【００３５】
具体的には、まず操作軸４をその軸方向に移動させると、所定の節度決定兼用貫通孔１４Ｂに割出しピン１２が嵌合したままで割出しピン１２がそれぞれの割出し用溝４Ａ内を移動してゆくので、見出し窓部８において所望の列を割り出すことができる。
【００３６】
この列の割出し状態において、見出し窓部８で見出し文字７Ｂを見ながら操作軸４を回転させると、割り出した割出し用溝４Ａに割出しピン１２が嵌合したままで割出しピン１２がスリーブ１４の節度決定兼用貫通孔１４Ｂ内を移動してゆき、ロータリーピン１１が選択ホィール５を回転させるので、印字用エンドバンド７上の印字文字７Ａを選択することができる。
【００３７】
この選択状態では、選択した見出し文字７Ｂに対応する印字文字７Ａがインキローラー対向開口部９において印字受け台部６にセットされて露出しており、インキローラーＲの転動によってこの印字文字７Ａにインキを塗布し、印字器１全体をたとえばハンドレバー（図示せず）などの操作によってラベル上に押印することにより印字することができる。
【００３８】
かくして、操作軸４、スリーブ１４、および付勢機構２Ａにおいて所望列の割出し操作および該列における印字選択操作を行うことができるが、これらの部材がすべて操作軸４の近傍に配置されているので、印字選択の操作の手ごたえが自然であり、また、列の選択の割出しおよび印字選択の節度の操作感覚をほぼ同等とすることができる。
【００３９】
【発明の効果】
以上のように本発明によれば、操作軸の割出し用溝およびスリーブの節度決定兼用貫通孔にともに係合可能な付勢機構を設けたので、部品点数を減らすことができるとともに、自然な印字選択操作を行うことができる。
【図面の簡単な説明】
【図１】本発明の実施の形態による印字器における印字選択装置２を装備した印字器１の断面図である。
【図２】図１のＩＩ−ＩＩ線断面図である。
【図３】同、スリーブ１４の側面図である。
【図４】同、割出しピン１２およびスリーブ１４の係合状態を側面からみた拡大断面図である。
【図５】同、割出しピン１２およびスリーブ１４の係合状態の軸方向の拡大断面図である。
【符号の説明】
１  印字器（図１）
２  印字器１における印字選択装置（第１の実施の形態、図１）
２Ａ  付勢機構（割出しピン１２、割出しスプリング１３）
３  印字器フレーム
３Ａ  印字器フレーム３の第１の押さえフレーム
３Ｂ  印字器フレーム３の第２の押さえフレーム
４  印字選択用の操作軸
４Ａ  操作軸４の割出し用溝
５  選択ホィール
５Ａ  選択ホィール５の内周係合溝
５Ｂ  選択ホィール５の外周係合溝
６  印字受け台部
７  印字用エンドレスバンド
７Ａ  印字用エンドレスバンド７の印字文字
７Ｂ  印字用エンドレスバンド７の見出し文字
７Ｃ  印字用エンドレスバンド７の印字ブランク部
７Ｄ  印字用エンドレスバンド７の低い駆動用突起部
７Ｅ  印字用エンドレスバンド７の高い駆動用突起部
８  見出し窓部
９  インキローラー対向開口部
１０  インジケーター
１０Ａ  インジケーター１０の指針部
１１  ロータリーピン
１２  割出しピン（付勢機構）
１３  割出しスプリング（付勢機構）
１４  スリーブ
１４Ａ  スリーブ１４の軸方向スリット
１４Ｂ  スリーブ１４の節度決定兼用貫通孔
１５  ストッパー部材
１５Ａ  ストッパー部材１５の係合爪部
１５Ｂ  ストッパー部材１５の調心バネ部
１５Ｃ  ストッパー部材１５の駆動アーム部
１５Ｄ  係合爪部１５Ａの左右一対のロック端部
１５Ｅ  駆動アーム部１５Ｃの左右一対の作用端部
１６  金属製の爪部回動軸
１７  アーム回動軸
Ｒ  インキローラー
Ｓ１  選択ホィール５の外周面とロック端部１５Ｄとの間の第１の間隙
Ｓ２  作用端部１５Ｅと印字用エンドレスバンド７の内周面との間の第２の間隙
【図１】
0003639061.tif 000002
【図２】
0003639061.tif 000003
【図３】
0003639061.tif 000004
【図４】
0003639061.tif 000005
【図５】
0003639061.tif 000006